(57)【特許請求の範囲】
【請求項１】
フックの基部に物干器との連結部を有し、フック本体の中間部内側へ物干竿押さえ片を設け、フック本体の先端側へ竿に嵌る回転体を設置したフックにおいて、フック本体の中間部へ、前記物干竿押さえ片と、前記回転体の凹入部によって前記竿を挟着し、フック本体を安定保持すべく前記竿押さえ片を竿側へスプリングにより付勢して回転自在に軸支すると共に、フック本体の先端側に、竿に嵌る凹入部を有する回転体を回転自在に設置したことを特徴とする物干器用フック。
【請求項２】
請求項１記載のフックを物干器本体の連結枠に連結した物干器において、前記物干器本体は、環状方形枠の内側に複数の補強杆を設けて、中央で折り畳みできるように軸支され、前記環状方形枠の軸に前記連結枠６の基部を取り付けて、該連結枠６の中央部に前記フックの基部を固定し、前記方形枠の内側へ網を設け、該網には、方形枠の折畳み時にフック部の入る孔をそれぞれ設け、前記方形枠に多数のピンチを取り付けたことを特徴とする物干器。
【発明の詳細な説明】
【技術分野】
【０００１】
この発明は、物干竿に係止する係止手段を有する物干器において、物干鋏（以下ピンチという）を取り付けた環状枠の内側へ、小物洗濯物を載置できるようにすること及び物干竿を押圧支持することを目的とした物干器用フック及び物干器に関する。
【背景技術】
【０００２】
従来知られているフック付き物干器は、ピンチを取り付ける環状枠の内側には、複数の補強杆などが設けてあるが、環状枠と補強杆との間は大きな空間（孔）になっており、物品（洗濯物）を載せることは考慮していない。またフックに押さえ片を設けて物干竿に安定支持しようとした提案もある。
【特許文献１】特許第２９４９０６２号
【発明の開示】
【発明が解決しようとする課題】
【０００３】
前記従来の物干器には、環状枠の内側には空間があるので、ここへ洗濯物の小物（例えばハンカチーフ又は靴下など）でも載置できないという問題点があった。またフックについては、材料の弾力を利用して、物干竿を押圧しているので、押圧支持が、材料の変形度合に依存する問題点があった。
【課題を解決するための手段】
【０００４】
この発明は、物干器の環状枠の内側へ網を張設したので、ハンカチーフ、靴下その他の小物を載置できることになり、洗濯物の取付けの合理化を達成し、前記従来の問題点を解決したのである。またフックにスプリング付きの竿押さえ片を取付けて、前記従来の問題点を解決したのである。
【０００５】
即ちこの発明は、フックの基部に物干器との連結部を有し、フック本体の中間部内側へ物干竿押さえ片を設け、フック本体の先端側へ竿に嵌る回転体を設置したフックにおいて、フック本体の中間部へ、前記物干竿押さえ片と、前記回転体の凹入部によって前記竿を挟着し、フック本体を安定保持すべく前記竿押さえ片を竿側へスプリングにより付勢して回転自在に軸支すると共に、フック本体の先端側に、竿に嵌る凹入部を有する回転体を回転自在に設置したことを特徴とする物干器用フックである。
【０００６】
また、竿押さえ片の付勢は、竿押さえ片の軸へ線スプリングを巻きつけ、該線スプリングの一端を竿押さえ片に係止し、前記線スプリングの他端をフック本体に係止したことを特徴とする請求項１記載の物干器用フックである。
【０００７】
また他の発明は、請求項１記載のフックを物干器本体の連結枠に連結した物干器において、前記物干器本体は、環状方形枠の内側に複数の補強杆を設けて、中央で折り畳みできるように軸支され、前記環状方形枠の軸に前記連結枠６の基部を取り付けて、該連結枠６の中央部に前記フックの基部を固定し、前記方形枠の内側へ網を設け、該網には、方形枠の折畳み時にフック部の入る孔をそれぞれ設け、前記方形枠に多数のピンチを取り付けたことを特徴とする物干器である。
【００１０】
前記発明の網の目は、ハンカチーフ又は靴下などの小物が載置できればよいので、小さくする必要はない。例えば５ｍｍ〜２０ｍｍの適宜の大きさを選択する。
【００１１】
前記網は、物干器本体を成形する時に一体成形するか、枠付網を別製し、これを環状枠の内側へ嵌入固定することもできる。
【００１２】
この発明の環状枠の形状は、平面方形、円形、楕円形その他従来知られている総ての物干器に適用できる。例えば環状枠をアルミニューム製とした場合には網を別製し、環状枠の内側へ嵌め込むようにすれば容易にセットできる。
【００１３】
前記発明のスプリングは、例えば弾性線を、竿押さえ片の取付け軸に巻きつけて、その一端をフック本体に係止し、他端を竿押さえ片に係止させたもので（図４（ｂ））、弾力は任意に選定し得ると共に、竿押さえ片と協同して、物干竿に押圧できるようにしてある。前記スプリングは、弾性線に限定されることなく、弾性板、弾性片を排除するものではない。
【００１４】
従って、竿押さえ片を介して物干竿に適度の弾力を付与する構造であれば、材質、形状、構造に制約されることなく、使用することができる。
【００１５】
前記竿押さえ片は、常時物干竿面へ弾力的に当接していると共に、フックを外す際に竿離れを良好にすることができる。
【発明の効果】
【００１６】
この発明は、環状枠の内側の網を張設したので、物干器使用時に、小物洗濯物を一時載置することができ、洗濯物を吊す作業を合理化した効果がある。
【００１７】
また網の一部に、フックなどの収容できる孔を設けたので、物干器の折り畳み時に、前記孔がフックなどの逃げ孔となり、折り畳み厚さの増大を極力軽減できる効果がある。
【００１８】
この発明によれば、スプリングを介し竿押さえ片に積極的に押圧力を加えるので、押圧力を調整できると共に、必要とする押圧力の大きさ毎に選定できる効果がある。
【発明を実施するための最良の形態】
【００１９】
この発明は、物干竿押さえ付フックの基端部を連結枠を介して物干器本体に連結し、該物干器本体は、方形の環状枠に、ピンチを所定間隔で取り付けると共に、環状枠の内側へ小物載せ用の網を張設して物干器としたものである。
【００２０】
この発明によれば、ハンカチーフ、靴下その他の小物を、物干器の網上へ載せることができるので、物干器のピンチへ、前記小物などを付ける作業が合理化する利点がある。
【００２１】
然して従来の物干器に網を張設するのであるから、通風、日差しその他に殆ど変化なく、乾燥効果に支障はない。
【００２２】
他の発明は、フックの基部に物干器との連結部を設け、前記フックの先端側内側へ竿押さえ片を設置し、該竿押さえ片を回転自在に軸支すると共に、該軸に、竿押さえ片を竿方向へ加圧する加圧手段を設けた物干器フックである。
【実施例１】
【００２３】
この発明の実施例を図１、２について説明すると、合成樹脂製の環状方形枠１の内側に補強杆２、２を設けると共に、網３を設けたものである。前記環状方形枠１には、所定間隔で多数のピンチ４、４を取り付けると共に、物干竿に係止する為のフック５と、該フック５と前記環状方形枠１とを連結枠６で連結して、この発明の物干器１０を構成した。図中７は物干器１０の環状方形枠１を折り畳みした場合のフック５の収容される孔、８はフック５に附属させた物干竿９の竿押さえ片、１２はフック５と物干器との間の緊張材、１６は連結枠６の横杆６ａに回転自在に取り付けた下部フック、１７は物干竿の案内具である。
【００２４】
前記実施例によれば、洗濯物を物干器１０に吊す場合に、洗濯物の小物１１を前記網３上に載せた状態で、順次ピンチ４に取り付けることができるので、作業を円滑かつ迅速に終了することができる。前記実施例は環状方形枠としたが、形状に制約はない。
【００２５】
前記実施例は、網を環状方形枠１と一体成形により製造したが、環状方形枠１の一部に網を固定する場合には、所定外形の枠体１３に網３を張設して枠網１４を別製して、この枠網１４を物干器の環状方形枠の内側適所へ固定してこの発明の物干器１０とすることもできる。とくに物干器１０をアルミニューム製とした場合には網と環状方形枠を一体成形できないので、有効である。
【００２６】
前記において、環状方形枠１との固定片１５などを持った枠網１４（図４）にすれば、既製の物干器に取り付けることもできる。
【実施例２】
【００２７】
この発明の他の実施例を図５、６について説明すると、フック本体５ａの先端側へ、物干竿に当接できる弧状凹入部１６ａ、１６ｂ、１６ｃを均等配置した回転体１６を軸１７で回転自在に取付ける。
【００２８】
またフック本体５ａの中間部内側へ、竿押さえ片８を軸１８により回転自在に取付けると共に、前記軸１８へ線スプリング１９の一端１９ａを前記竿押さえ片８の溝８ａと係止し、前記線スプリング１９の他端１９ｂを、フック本体の凹入部５ｂに係止させ、かつ基端に連結杆を設けてフック５を構成した。
【００２９】
前記フック本体５ａの基端連結杆５ｃは、物干器１０の連結枠６の中央部へ設けた連結管６ａに回転自在に挿入掛止してある。
【００３０】
前記実施例において、図６中物干竿９へ、フック５を矢示２０のように下降して掛けると、前記回転体１６の凹入部１６ａと、物干竿９の一側とが当接すると共に（鎖線図示）、物干竿９の他側へ、竿押さえ片８が当接し、かつフック５が矢示２０の方向へ更に下降すれば、これに伴って回転体４が回転すると共に、竿押さえ片８が、軸１７を中心にして矢示２１の方向へ回転する。そこで、竿押さえ片８が物干竿９に加圧当接し、物干竿９は、竿押さえ片８と、回転体１６の凹入部１６ａによって弾持される。
【００３１】
前記において、フック５を外す為に、フック５を矢示２２の方向へ持ち上げると（図５）、前記竿押さえ片８が物干竿９を押し放す方向へ弾力的に移動するので、フック５を物干竿９から外すことがきわめて容易となり、スムースに外すことができる。
【産業上の利用可能性】
【００３２】
この発明は、従来広く使用されている物干器に応用できるので、即時採用することができる。
【００３３】
また物干器本体の平面形状に関係なく採用できる利点もある。
【図面の簡単な説明】
【００３４】
【図１】この発明の実施例の一部を省略した斜視図。
【図２】同じく物干器の一部を省略した平面拡大図。
【図３】（ａ）同じく一部断面拡大図、（ｂ）同じくフックと接続枠の実施例の側面図。
【図４】（ａ）同じく枠網の実施例の斜視図、（ｂ）同じく一部省略一部拡大断面図。
【図５】（ａ）同じくフックの一部を破切した拡大正面図、（ｂ）同じく竿押さえ片を示す一部断面拡大図。
【図６】（ａ）同じくフックを竿に掛けた時の一部を破切した拡大正面図、（ｂ）同じく竿押さえ片の拡大斜視図。
【符号の説明】
【００３５】
１  環状方形枠
２  補強杆
３  網
４  ピンチ
５  フック
６  連結枠
７  網の孔
８  竿押さえ片
９  物干竿
１０  物干器
１９  線スプリング
【図１】
0004645970.tif 000002
【図２】
0004645970.tif 000003
【図３】
0004645970.tif 000004
【図４】
0004645970.tif 000005
【図５】
0004645970.tif 000006
【図６】
0004645970.tif 000007